【手続補正書】
【提出日】平成16年10月28日(2004.10.28)
【手続補正１】
【補正対象書類名】明細書
【補正対象項目名】発明の名称
【補正方法】変更
【補正の内容】
【発明の名称】記録装置および記録装置の制御方法
【手続補正２】
【補正対象書類名】明細書
【補正対象項目名】特許請求の範囲
【補正方法】変更
【補正の内容】
【特許請求の範囲】
【請求項１】
複数のノズルが配列された複数のノズルを有する記録ヘッドを用いて被記録媒体に記録を行う記録装置であって、
前記被記録媒体を供給する供給手段と、
前記供給手段により供給された被記録媒体を搬送する搬送手段と、
前記搬送手段による被記録媒体の搬送動作中に、前記記録ヘッドを移動させずに前記記録ヘッドにより前記被記録媒体に記録を行う記録手段と、  
前記記録ヘッドの準備動作と前記被記録媒体の供給動作のうち、一方の動作が終了する前に他方の動作が開始され且つ前記一方の動作と前記他方の動作が時間的にオーバーラップして実行されるように、前記記録ヘッドの準備動作と前記被記録媒体の供給動作を制御する制御手段とを備え、
前記記録ヘッドの準備動作は、前記記録ヘッドが記録を行う位置に当該記録ヘッドを移動させる移動動作を含むことを特徴とする記録装置。
【請求項２】
前記移動動作は、所定の退避位置から前記記録ヘッドが記録を行う位置へ前記記録ヘッドを移動させる動作であることを特徴とする請求項１に記載の記録装置。
【請求項３】
前記所定の退避位置には、前記記録ヘッドのノズルをキャッピングするためのキャップユニットが設けられており、
前記記録ヘッドの準備動作は、前記キャップユニットから前記記録ヘッドを開放するための開放動作と、前記開放動作の後に前記記録ヘッドが記録を行う位置まで前記記録ヘッドを下方へ移動させる動作とを含むことを特徴とする請求項２に記載の記録装置。
【請求項４】
前記記録ヘッドのノズルをキャッピングするキャップユニットを更に備え、
前記記録ヘッドの準備動作は、前記キャップユニットから前記記録ヘッドを開放するために前記記録ヘッドを上方に移動させる動作と、前記記録ヘッドの直下から前記キャップユニットを移動させる動作と、前記記録ヘッドが記録を行う位置まで前記記録ヘッドを下方に移動させる動作とを含むことを特徴とする請求項１に記載の記録装置。
【請求項５】
前記制御手段は、前記記録ヘッドの準備動作と前記被記録媒体の供給動作のうち、一方の動作が終了する前に他方の動作が開始され且つ前記一方の動作と前記他方の動作が時間的にオーバーラップして実行されるように、前記記録ヘッドの準備動作の開始時期と前記被記録媒体の供給動作の開始時期との時間差である遅延時間を制御することを特徴とする請求項１乃至４のいずれかに記載の記録装置。
【請求項６】
前記制御手段は、前記記録ヘッドの準備動作と前記被記録媒体の供給動作が略同時に完了するように、前記記録ヘッドの準備動作と前記被記録媒体の供給動作を制御することを特徴とする請求項１乃至４のいずれかに記載の記録装置。
【請求項７】
前記制御手段は、前記記録ヘッドの準備動作に要する時間が前記供給動作に要する時間よりも長い場合、前記記録ヘッドの準備動作を前記被記録媒体の供給動作よりも先に開始することを特徴とする請求項１乃至４のいずれかに記載の記録装置。
【請求項８】
前記制御手段は、複数の前記供給手段のうち次の記録に使用される被記録媒体を供給する供給手段に関する情報に基づいて、前記記録ヘッドの準備動作の開始時期と前記被記録媒体の搬入動作の開始時期との時間差である遅延時間を取得し、当該取得した遅延時間に基づいて、前記記録ヘッドの準備動作および前記被記録媒体の供給動作を開始することを特徴とする請求項１乃至４のいずれかに記載の記録装置。
【請求項９】
前記制御手段は、記録速度に関する情報に基づいて、前記記録ヘッドの準備動作の開始時期と前記被記録媒体の供給動作の開始時期との時間差である遅延時間を取得し、当該取得した遅延時間に基づいて、前記記録ヘッドの準備動作および前記被記録媒体の供給動作を開始することを特徴とする請求項１乃至４のいずれかに記載の記録装置。
【請求項１０】
前記制御手段は、記録動作の状況に応じて、前記記録ヘッドの準備動作と前記被記録媒体の供給動作を制御することを特徴とする請求項１乃至４のいずれかに記載の記録装置。
【請求項１１】
前記制御手段は、前記記録ヘッドの準備動作に要する時間の計測値、または前記被記録媒体の供給動作に要する時間の計測値のうち、少なくとも一方の計測値に応じて、前記記録ヘッドの準備動作と前記被記録媒体の供給動作を制御することを特徴とする請求項１乃至４のいずれかに記載の記録装置。
【請求項１２】
前記制御手段は、前回の記録動作の状況に応じて、前記記録ヘッドの準備動作と前記被記録媒体の供給動作を制御することを特徴とする請求項１乃至４のいずれかに記載の記録装置。
【請求項１３】
前記制御手段は、過去の所定回数の記録動作の状況に応じて、前記記録ヘッドの準備動作と前記被記録媒体の供給動作を制御することを特徴とする請求項１乃至４のいずれかに記載の記録装置。
【請求項１４】
複数のノズルが配列された記録ヘッドを用いて被記録媒体に記録を行う記録装置を制御する方法であって、
前記被記録媒体を供給する供給工程と、
前記供給工程において供給された被記録媒体を搬送する搬送工程と、
前記搬送工程による被記録媒体の搬送動作中に、前記記録ヘッドを移動させずに前記記録ヘッドにより前記被記録媒体に記録を行う記録工程と、  
前記記録ヘッドの準備動作と前記被記録媒体の供給動作のうち、一方の動作が終了する前に他方の動作が開始され且つ前記一方の動作と前記他方の動作が時間的にオーバーラップして実行されるように、前記記録ヘッドの準備動作と前記被記録媒体の供給動作を制御する制御工程とを有し、
前記記録ヘッドの準備動作は、前記記録ヘッドのノズルをキャッピングするためのキャップユニットから前記記録ヘッドを開放するため開放動作と、前記開放動作の後、前記記録ヘッドが記録を行う位置まで前記記録ヘッドを移動させる移動動作とを含むことを特徴とする記録装置の制御方法。
【請求項１５】
前記移動動作は、前記記録ヘッドを上下動させる動作を含むことを特徴とする請求項１４に記載の記録装置の制御方法。
【手続補正３】
【補正対象書類名】明細書
【補正対象項目名】０００６
【補正方法】変更
【補正の内容】
【０００６】
【課題を解決するための手段】
本発明の記録装置は、複数のノズルが配列された複数のノズルを有する記録ヘッドを用いて被記録媒体に記録を行う記録装置であって、前記被記録媒体を供給する供給手段と、前記供給手段により供給された被記録媒体を搬送する搬送手段と、前記搬送手段による被記録媒体の搬送動作中に、前記記録ヘッドを移動させずに前記記録ヘッドにより前記被記録媒体に記録を行う記録手段と、前記記録ヘッドの準備動作と前記被記録媒体の供給動作のうち、一方の動作が終了する前に他方の動作が開始され且つ前記一方の動作と前記他方の動作が時間的にオーバーラップして実行されるように、前記記録ヘッドの準備動作と前記被記録媒体の供給動作を制御する制御手段とを備え、前記記録ヘッドの準備動作は、前記記録ヘッドが記録を行う位置に当該記録ヘッドを移動させる移動動作を含むことを特徴とする。
【手続補正４】
【補正対象書類名】明細書
【補正対象項目名】０００７
【補正方法】変更
【補正の内容】
【０００７】
本発明の記録装置の制御方法は、複数のノズルが配列された記録ヘッドを用いて被記録媒体に記録を行う記録装置を制御する方法であって、前記被記録媒体を供給する供給工程と、前記供給工程において供給された被記録媒体を搬送する搬送工程と、前記搬送工程による被記録媒体の搬送動作中に、前記記録ヘッドを移動させずに前記記録ヘッドにより前記被記録媒体に記録を行う記録工程と、前記記録ヘッドの準備動作と前記被記録媒体の供給動作のうち、一方の動作が終了する前に他方の動作が開始され且つ前記一方の動作と前記他方の動作が時間的にオーバーラップして実行されるように、前記記録ヘッドの準備動作と前記被記録媒体の供給動作を制御する制御工程とを有し、前記記録ヘッドの準備動作は、前記記録ヘッドのノズルをキャッピングするためのキャップユニットから前記記録ヘッドを開放するため開放動作と、前記開放動作の後、前記記録ヘッドが記録を行う位置まで前記記録ヘッドを移動させる移動動作とを含むことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】